(57)【要約】【課題】部屋の中に設置された寝具を使用している人間を守るための耐地震用ユニットを提供すること。【解決手段】部屋の中に設置された寝具を使用している人間を守るための耐地震用ユニット１であって、部屋の床に配置される複数の床枠部材１２、１４ａ、１４ｂ、１６からなる床枠部１０と、床枠部１０の上部に配置される複数の上枠部材２２ａ、２２ｂ、２４ａ、２４ｂからなる上面部２０と、床枠部材と、上枠部材と、床枠部材と上枠部材とを接続する複数の支柱部材からなる側面部と、床枠部、上面部、及び側面部から形成され寝具が設置される内部領域７０とを有し、上面部２０は、上枠部材を接続する複数の梁を備え、側面部は、それぞれ上枠部材の一つと支柱部材の一つとを接続する上端部分と、支柱部材の別の一つと床枠部材の一つとを接続する下端部分とを有する複数の筋交いを備えていることを特徴とする耐地震用ユニット。【選択図】図１
0003145863.tif 000002
【実用新案登録請求の範囲】
【請求項１】
部屋の中に設置された寝具を使用している人間を守るための耐地震用ユニットであって、
前記部屋の床に配置される複数の床枠部材からなる床枠部と、
前記床枠部の上部に配置される複数の上枠部材からなる上面部と、
前記床枠部材と、前記上枠部材と、前記床枠部材と前記上枠部材とを接続する複数の支柱部材からなる側面部と、
前記床枠部、前記上面部、及び前記側面部から形成され前記寝具が設置される内部領域とを有し、
前記上面部は、前記上枠部材を接続する複数の梁を備え、
前記側面部は、それぞれ前記上枠部材の一つと前記支柱部材の一つとを接続する上端部分と、前記支柱部材の別の一つと前記床枠部材の一つとを接続する下端部分とを有する複数の筋交いを備えていることを特徴とする耐地震用ユニット。
【請求項２】
前記上面部は、さらに前記上枠部材に接続する１以上の屋根部材を有していることを特徴とする請求項１に記載の耐地震用ユニット。
【請求項３】
前記耐地震用ユニットは、間伐材で構成することを特徴とする請求項１又は２に記載の耐地震用ユニット。
【考案の詳細な説明】
【技術分野】
【０００１】
本考案は、部屋の中に設置された寝具を使用している人間を守るための耐地震用ユニットに関する。
【背景技術】
【０００２】
従来より、一般に使用されている寝具は、快適な睡眠をとることを目的とされているが、寝具を使用している人間を地震から守るようには考慮されてはいない。地震から守るように耐地震構造を有する家屋が設計されているが、費用の面において経済的とはいえない。
【特許文献１】登録実用新案第３０２１０５６号公報
【考案の開示】
【考案が解決しようとする課題】
【０００３】
寝具を使用している人間は、地震が起こり、家屋が倒壊した場合に、就寝中は迅速な行動ができないため、家屋の下敷きになり脱出することができずに命を失うことが考えられる。本考案は、上記問題点を鑑みたものであり、地震が起こり、家屋が倒壊する場合や家財道具が落下する場合に備え、部屋の中に設置された寝具を使用している人間を守るための耐地震用ユニットを提供することを目的とする。
【課題を解決するための手段】
【０００４】
（１）本考案は、部屋の中に設置された寝具を使用している人間を守るための耐地震用ユニットであって、前記部屋の床に配置される複数の床枠部材からなる床枠部と、前記床枠部の上部に配置される複数の上枠部材からなる上面部と、前記床枠部材と、前記上枠部材と、前記床枠部材と前記上枠部材とを接続する複数の支柱部材からなる側面部と、前記床枠部、前記上面部、及び前記側面部から形成され前記寝具が設置される内部領域とを有し、前記上面部は、前記上枠部材を接続する複数の梁を備え、前記側面部は、それぞれ前記上枠部材の一つと前記支柱部材の一つとを接続する上端部分と、前記支柱部材の別の一つと前記床枠部材の一つとを接続する下端部分とを有する複数の筋交いを備えていることを特徴とするものである。
【０００５】
（１）に記載の耐地震用ユニットによれば、地震が起こり、家屋が倒壊した場合や家財道具が落下した場合でも、上面部が倒壊した家屋等の落下物を受け止めることができる。また、耐地震用ユニットは、複数の支柱部材や複数の筋交いを有しており、上面部には複数の梁を備えているために、相当の重量を有する落下物に対しても十分な耐久性を備える。寝具が設置される内部領域に、倒壊した家屋等の落下物が到達することを阻止することができ、寝具を使用している人間を守ることができる。それゆえ、そまた、本考案の耐地震用ユニットは、就寝中に限らず、在宅時に地震が起こった場合に逃げ込むことができるシェルターとしても活用できる。
【０００６】
（２）本考案は、（１）に記載の耐地震用ユニットにおいて、前記上面部は、さらに前記上枠部材に接続する１以上の屋根部材を有していることを特徴とするものである。
【０００７】
（２）に記載の耐地震用ユニットによれば、地震が起こり、家屋が倒壊した場合や家財道具が落下した場合でも、屋根部材が落下物を受け止めることができる。そのため、寝具が設置される内部領域に、倒壊した家屋からの落下物が到達することを防ぐことができ、寝具を使用している人間を守ることができる。
【０００８】
（３）本考案は、（１）又は（２）に記載の耐地震用ユニットにおいて、前記耐地震用ユニットは、間伐材で構成することを特徴とするものである。
【０００９】
（３）に記載の耐地震用ユニットによれば、耐地震用ユニットを間伐材で構成することにより、資源の有効利用を図ることができる。また、耐地震用ユニットの費用をかなり安くおさえることができ、材料の調達も比較的容易である。
【考案の効果】
【００１０】
本考案によれば、地震が起こり、家屋が倒壊する場合や家財道具が落下する場合に備え、部屋の中に設置された寝具を使用している人間を守るための耐地震用ユニットを提供することができる。
【考案を実施するための最良の形態】
【００１１】
以下、本考案の実施形態について、図面を参照して説明する。なお、これらはあくまで一実施形態であって、本考案の技術的範囲はこれに限定されるわけではない。
【００１２】
まず、本考案の一実施形態について説明する。
図１は本考案の実施の形態による耐地震用ユニットの一例を示す斜視図である。耐地震用ユニット１は、直方体の立体的形状をしている。耐地震用ユニット１の各面の形状は、図２〜図６に示す。
図２は、図１の耐地震用ユニット１の下面図である。
図３は、図１の耐地震用ユニット１の上面図である。
図４は、図１の耐地震用ユニット１の右側面図である。
図５は、図１の耐地震用ユニット１の背面図である。
図６は、図１の耐地震用ユニット１の前方図である。
【００１３】
図１の耐地震用ユニット１は、家屋の部屋の中に設置され、寝具全体を覆う位置に配置される。耐地震用ユニット１は、寝具の大きさよりも大きく、設置される部屋の大きさよりも小さい。耐地震用ユニット１は、直方体の形状をしている。
【００１４】
耐地震用ユニット１は、角材で形成された長方形の枠状の形状の床枠部１０を有する。床枠部１０は、耐地震用ユニット１の直方体形状の底面にあたる。床枠部１０は、寝具を囲む位置に設置され、床８の上に設置される。
【００１５】
さらに、耐地震用ユニット１は、耐地震用ユニット１の直方体形状の側面にあたる床枠部１０と接続される左側面部３０、右側面部４０、背面側面部５０、及び前方側面図６０、を有する。左側面部３０、右側面部４０、背面側面部５０、及び前方側面図６０は、それぞれ角材で形成された長方形の枠状の形状をしている。左側面部３０、右側面部４０、背面側面部５０、及び前方側面図６０は、床８に対して垂直に設置される。左側面部３０は、寝具の短手方向に配置される。右側面部４０は、左側面部３０と平行に配置される。背面側面部５０は、寝具の長手方向に配置される。背面側面部５０は、左側面部３０及び右側面部４０と垂直に配置される。前方側面部６０は、背面側面部５０と平行に配置される。
【００１６】
さらに、耐地震用ユニット１は、左側面部３０、右側面部４０、背面側面部５０、及び前方側面図６０と接続され、床枠部１０と略平行な位置にある上面部２０を有する。上面部２０は、耐地震用ユニット１の直方体形状の上面にあたり、角材で形成された長方形の枠状の形状をしている。
【００１７】
さらに、耐地震用ユニット１は、左側面部３０、右側面部４０、背面側面部５０、前方側面図６０及び上面部２０により形成された内部領域７０を有する。内部領域７０は、設置される寝具の大きさよりも大きい空間を有している必要がある。
【００１８】
図１及び図２において、耐地震用ユニット１の下面図について説明する。床枠部１０は、複数の床枠部材１２、１４ａ、１４ｂ、１６からなる。各床枠部材１２、１４ａ、１４ｂ、１６は、角材で形成されている。床枠部材１２は、床枠部材１６と略平行の位置に配置される。床枠部材１２は、両端の一端を床枠部材１４ａと、他端を床枠部材１４ｂと接続する。床枠部材１４ｂは、床枠部材１４ａと略平行な位置に配置される。また、床枠部材１４ｂは、床枠部材１２と接続していない他端は、床枠部材１６と接続する。
【００１９】
寝具７２は、床枠部材１２、１４ａ、１４ｂ、１６に囲まれた内部領域７０に位置する。寝具７２は、シングルベッド、セミダブルベッド、ダブルベッド等を例示することができる。床枠部材１２、１４ａ、１４ｂ、１６の長さは、寝具７２の大きさにより決められる。つまり、床枠部材１２は、寝具７２の長手方向の長さよりも長い。一方、床枠部材１４ａ、１４ｂは、寝具７２の短手方向の長さよりも長い。また、床枠部材１６は、床枠部材１２の長さよりも短く、例えば床枠部材１２の１／２〜３／４の長さの範囲内にあることが好ましい。床枠部材１２と１６の長さの差は、入口部６８の横の長さとなる。
【００２０】
床枠部１０は、床８と接する面である床枠部底面１０ａの全部又は一部に弾力部材を有していてもよい。弾力部材は、素材として布、ゴム等を使用することができる。床枠部材１２、１４ａ、１４ｂ、１６は、弾力部材を有することで、部屋の中に耐地震用ユニット１を設置する際に、部屋の床に対して傷をつけることなく設置することができる。また、弾力部材は、地震が起こり、家屋が倒壊した場合や家財道具が落下した瞬間に発生する耐地震用ユニット１の全体にかかる衝撃を和らげることができる。
【００２１】
次に、図１及び図３において、耐地震用ユニット１の上面図について説明する。上面部２０は、複数の上枠部材２２ａ、２２ｂ、２４ａ、２４ｂからなる。各上枠部材２２ａ、２２ｂ、２４ａ、２４ｂは、角材で形成されている。上枠部材２２ａは、上枠部材２２ｂと同じ長さであり、略平行の位置に配置される。また、上枠部材２４ａは、上枠部材２４ｂと同じ長さであり、略平行の位置に配置される。上枠部材２４ａの両端は、上枠部材２２ａ及び２２ｂの同じ向きにある一端を接続する。同様に、上枠部材２４ｂの両端は、上枠部材２２ａ及び２２ｂの上枠部材２４ａが接続されていない一端を接続する。そのため、上面部２０は、長方形の枠組みを形成する。
【００２２】
上面部２０は、複数の梁２６ａ、２６ｂ、２６ｃ、２６ｄを備える。各梁２６ａ、２６ｂ、２６ｃ、２６ｄは、角材で形成されている。梁２６ａは、上枠部材２２ａと上枠部材２４ｂとを接続する梁である。梁２６ｂは、上枠部材２２ｂと上枠部材２４ｂとを接続する梁である。梁２６ｃは、上枠部材２２ｂと上枠部材２４ａとを接続する梁である。梁２６ｄは、上枠部材２２ａと上枠部材２４ａとを接続する梁である。これらの梁２６ａ、２６ｂ、２６ｃ、２６ｄを有することで、地震により家屋が倒壊して上面部２０に家屋が落下してきたとしても、上枠部材２２ａ、２２ｂ、２４ａ、２４ｂ同士の接続が崩れることを軽減することができる。
【００２３】
また、上面部２０は、複数の梁２７、２８を備える。梁２７は、上枠部材２２ａと上枠部材２２ｂとを接続する梁である。梁２８は、上枠部材２４ａと上枠部材２４ｂとを接続する梁である。梁２８は、梁２７と直交している。耐地震用ユニット１は、梁２７、２８を有することで、地震により倒壊した家屋が落下してきたとしても、耐地震用ユニット１にかかる圧力を分散させ、耐地震用ユニット１の耐久性を向上させることができる。
【００２４】
次に、図１及び図４において、耐地震用ユニット１の右側面図について説明する。なお、耐地震用ユニット１の左側面も同様の構造を有する。右側面部４０は、床枠部材１４ａと上枠部材２４ａと支柱部材５２、６２とからなる。各支柱部材５２、６２は、角材で形成されている。支柱部材は、必要に応じて２本以上有していても良い。床枠部材１４ａは、床枠部材１４ａの両端において支柱部材５２，６２のそれぞれの一端と接続する。上枠部材２４ａは、上枠部材２４ａの両端において支柱部材５２，６２の床枠部材１４ａが接続されていない一端と接続する。右側面部４０は、長方形の枠組みを形成する。支柱部材の長さは、一般的な人間の身長より長く、かつ部屋の高さよりも短い必要があり、例えば１．８ｍ〜２．２ｍの範囲内にあることが好ましい。
【００２５】
右側面部４０は、複数の筋交い４２、４６を備える。各筋交い４２、４６は、角材で形成されている。筋交い４２は、上枠部材２４ａと支柱部材６２とを接続する上端部分４３と、支柱部材５２と床枠部材１４ａとを接続する下端部分４４とを有する。筋交い４６は、上枠部材２４ａと支柱部材５２とを接続する上端部分４７と、支柱部材６２と床枠部材１４ａとを接続する下端部分４８とを有する。耐地震用ユニット１は、複数の筋交い４２、４６を有することで、地震により倒壊した家屋が上面部２０に落下してきたとしても、右側面部４０の長方形の枠組みを維持することができる。
【００２６】
次に、図１及び図５において、耐地震用ユニット１の背面図について説明する。背面側面部５０は、床枠部材１２と上枠部材２２ａと複数の支柱部材５２、５３、５４からなり、長方形の枠組みを形成する。各支柱部材５２、５３、５４は、角材で形成されている。支柱部材５２、５４は、床枠部材１２と上枠部材２２ａの両端にそれぞれ接続される。支柱部材５３は、床枠部材１２と上枠部材２２ａの間に、支柱部材５２、５４と平行に接続される。背面側面部５０は、支柱部材を３本以上有していることが好ましい。耐地震用ユニット１は、支柱部材を３本以上有していることで、地震により家屋が倒壊して家屋が落下してきたとしても、耐地震用ユニット１にかかる圧力を分散することができる。
【００２７】
背面側面部５０は、複数の筋交い５６、５８を備える。各筋交い５６、５８は、角材で形成されている。筋交い５６は、上枠部材２２ａと支柱部材５２とを接続する上端部分５７ａと、支柱部材５３と床枠部材１２とを接続する下端部分５７ｂを有する。筋交い５８は、上枠部材２２ａと支柱部材５４とを接続する上端部分５９ａと、支柱部材５３と床枠部材１２とを接続する下端部分５７ｂを有する。背面側面部５０は、複数の筋交い５６、５８を有することで、地震により家屋が倒壊して家屋が落下してきたとしても、背面側面部５０の長方形の枠組みを維持することができる。なお、筋交い５６又は筋交い５８と交差する新たな筋交いをそれぞれ設けても構わない。
【００２８】
次に、図１及び図６において、耐地震用ユニット１の前方図について説明する。前方側面部６０は、床枠部材１４ａ、１６と、上枠部材２２ｂと、支柱部材６２、６３，６４からなる。各支柱部材６２、６３，６４は、角材で形成されている。支柱部材６３の両端は、一方を床枠部材１６の一端と、もう一方を上枠部材２２ｂと接続されている。支柱部材６４の両端は、一方を床枠部材１６の一端と、もう一方を上枠部材２２ｂの一端と接続されている。
【００２９】
前方側面部６０は、筋交い６５を備える。筋交い６５は、角材で形成されている。筋交い６５は、上枠部材２２ｂと支柱部材６４とを接続する上端部分６６ａと、支柱部材６３と床枠部材１６とを接続する下端部分６６ｂを有する。前方側面部６０は、筋交い６５を有することで、地震により家屋が倒壊して家屋が落下してきたとしても、前方側面部６０の枠組みを維持することができる。なお、筋交い６５と交差する新たな筋交いを設けても構わない。
【００３０】
前方側面部６０は、入口部６８を形成する。床枠部材１６は、床枠部材１６の長さよりも短く、入口部６８までには進入していない。また、入口部６８は、筋交いを有していない。床枠部材１６は、例えは上枠部材２２ｂの１／２〜３／４の長さであることが好ましい。耐地震用ユニット１は、入口部６８を有することで、内部領域７０への出入りが可能となる。
【００３１】
次に、本考案の別の実施形態について説明する。
図７は、本考案の別の実施の形態による耐地震用ユニット２の一例を示す斜視図である。耐地震用ユニット２は、図１に示した耐地震用ユニット１に対して、屋根部材２９を有していることを特徴とする。屋根部材２９は、板状の形状でもよく、曲面を有する形状であってもよく、さらに一つの部材で構成されていてもよく、複数の部材から構成されていてもよい。なお、図７において、図１と同様の箇所は一部符号を省略している。
【００３２】
上面部２０は、一つの屋根部材から上面を覆われているか、若しくは、複数の屋根部材から上面を覆われている。屋根部材２９は、上枠部材に接続されるに限らず、梁に接続されていてもよい。屋根部材２９を有することで、地震により倒壊した家屋の部材や家財道具が寝具に向かって落ちてきたとしても、屋根部材２９が落下物を防ぐことができるために、寝具７２まで落下物がくることはない。
【００３３】
また、屋根部材２９と上枠部材２２ａ、２２ｂ、２４ａ、２４ｂ及び梁２６ａ、２６ｂ、２６ｃ、２６ｄとが接する面である上枠部上面２０ａの全部又は一部に弾力部材を有していてもよい。弾力部材は、素材として布、ゴム等を使用することができる。耐地震用ユニット２は、弾力部材を有することで、地震が起こり、家屋が倒壊した場合や家財道具が落下した瞬間に発生する耐地震用ユニット１の全体にかかる衝撃を和らげることができる。
【００３４】
なお、図１及び図７に示した本考案の耐地震用ユニットにおいて、間伐材で構成することができる。本考案の耐地震用ユニットは、間伐材で構成されているので、資源の有効利用を図ることができるだけでなく、耐地震用ユニットの費用をかなり安くおさえることができる。また、本考案の耐地震用ユニットの間伐材の調達も比較的容易である。また、本考案の耐地震用ユニット１で使用する間伐材の角材の厚さ又は幅の長さを例示すると、８ｃｍ〜１５ｃｍ程度であることが好ましい。
【００３５】
使用する各部材は、あらかじめ成型したものを利用することができる。成型した部材を用意しておくことにより、耐地震用ユニット１の組み立てが容易となり、組み立てまでの時間の短縮を図ることができる。
【００３６】
また、本考案の耐地震用ユニットは、強度実験によれば約２０トンの加重にも耐えることが確認された。支柱部材、梁、筋交いの数及び使用する材料の断面積を増やせば、より耐地震用ユニット１の耐久性を向上させることができる。そのため、寝具が設置される内部領域７０に、倒壊した家屋等の落下物が到達することを抑えることができ、寝具を使用している人間を守ることができる。
【図面の簡単な説明】
【００３７】
【図１】本考案の実施の形態による耐地震用ユニットの一例を示す斜視図である。
【図２】図１の耐地震用ユニット１の下面図である。
【図３】図１の耐地震用ユニット１の上面図である。
【図４】図１の耐地震用ユニット１の右側面図である。
【図５】図１の耐地震用ユニット１の背面図である。
【図６】図１の耐地震用ユニット１の前方図である。
【図７】本考案の別の実施の形態による耐地震用ユニットの一例を示す斜視図である。
【符号の説明】
【００３８】
１、２    耐地震用ユニット
８    床
１０    床枠部
１０ａ    床枠部底面
１２、１４ａ、１４ｂ、１６    床枠部材
２０    上面部
２０ａ    上面部上面
２２ａ、２２ｂ、２４ａ、２４ｂ    上枠部材
２６ａ、２６ｂ、２６ｃ、２６ｄ、２７、２８    梁
２９    屋根部材
３０    左側面部
４０    右側面部
５０    背面側面部
６０    前方側面部
５２、５３、５４、６２、６３、６４    支柱
４２、４６、５６、５８、６５    筋交い
４３、４７、５７ａ、５９ａ、６６ａ    上端部分
４４、４８、５７ｂ、５９ｂ、６６ｂ    下端部分
６６    入口部
７０    内部領域
７２    寝具
【図１】
0003145863.tif 000003
【図２】
0003145863.tif 000004
【図３】
0003145863.tif 000005
【図４】
0003145863.tif 000006
【図５】
0003145863.tif 000007
【図６】
0003145863.tif 000008
【図７】
0003145863.tif 000009